【手続補正書】
【提出日】平成30年6月18日(2018.6.18)
【手続補正１】
【補正対象書類名】特許請求の範囲
【補正対象項目名】全文
【補正方法】変更
【補正の内容】
【特許請求の範囲】
【請求項１】
局のワイヤレス通信の方法であって、
アクセスポイントから第１のビーコンフレームを受信することと、ここにおいて、前記第１のビーコンフレームが、前記アクセスポイントによってサポートされるドメインの第１のセットの第１の指示を含む、
前記局がドメインの前記第１のセットのうちのどの１つのドメインとの資格証明をも確立していないと決定することと、
前記アクセスポイントから第２のビーコンフレームを受信すること、ここにおいて、前記第２のビーコンフレームが前記アクセスポイントによってサポートされるドメインの第２のセットの第２の指示を含み、ここにおいて、ドメインの前記第１のセットがドメインの前記第２のセットとは異なる、または
前記局がそれとの第２の資格証明を確立しているドメインの第３のセットの第３の指示を含むプローブ要求フレームを前記アクセスポイントに送ること
のうちの少なくとも１つを実行することと
を備える、方法。
【請求項２】
前記第１の指示が前記第１のビーコンフレームの第１の高速初期リンクセットアップ指示情報要素（ＦＩＬＳ指示ＩＥ）中に含まれ、ここにおいて、前記第２の指示が前記第２のビーコンフレームの第２のＦＩＬＳ指示ＩＥ中に含まれ、ここにおいて、前記第３の指示が前記プローブ要求フレームのＦＩＬＳ要求パラメータ要素中に含まれる、請求項１に記載の方法。
【請求項３】
前記第２のビーコンフレームが前記アクセスポイントから受信され、前記方法は、
前記局がドメインの前記第２のセットのうちの１つまたは複数のドメインとの第３の資格証明を確立していると決定することと、
接続のために前記アクセスポイントを選択することと
をさらに備える、請求項１に記載の方法。
【請求項４】
前記プローブ要求フレームが前記アクセスポイントに送られ、前記方法は、
前記アクセスポイントの挙動に基づいて、前記アクセスポイントが、ドメインの前記第３のセットの少なくとも第１のドメインをサポートするかどうかを決定することと、
前記アクセスポイントがドメインの前記第３のセットの前記第１のドメインをサポートすると決定されたとき、接続のために前記アクセスポイントを選択することと
をさらに備える、請求項１に記載の方法。
【請求項５】
プローブ応答フレームを受信することと、
前記アクセスポイントの前記挙動が、前記局に前記プローブ応答フレームを送ることを含むと決定することと、ここにおいて、前記プローブ応答フレームがドメインの第４のセットの第４の指示を含み、ここにおいて、ドメインの前記第４のセットがドメインの前記第３のセットのサブセットであり、ここにおいて、前記アクセスポイントがドメインの前記第３のセットの前記第１のドメインをサポートすると決定される、
前記接続を確立するために、前記アクセスポイントに前記第１のドメインの資格証明を送ることと、ここにおいて、前記第１のドメインがドメインの前記第４のセット中にある、
をさらに備える、請求項４に記載の方法。
【請求項６】
前記アクセスポイントの前記挙動が、前記プローブ要求フレームが前記局によって送られた後、所定の時間期間内に、前記プローブ要求フレームに応答して、前記局にプローブ応答フレームを送らないことを含むと決定することと、ここにおいて、前記アクセスポイントがドメインの前記第３のセットのどのドメインをもサポートしないと決定される、
前記接続のために前記アクセスポイントを選択することを控えることと
をさらに備える、請求項４に記載の方法。
【請求項７】
プローブ応答フレームを受信することと、
前記アクセスポイントの前記挙動が、前記局に前記プローブ応答フレームを送ることを含むと決定することと、ここにおいて、前記プローブ応答フレームがドメインの第４のセットの第４の指示を含み、ここにおいて、ドメインの前記第４のセットがドメインの前記第３のセットのどのドメインにも一致せず、ここにおいて、前記アクセスポイントがドメインの前記第３のセットのどのドメインをもサポートしないと決定される、
前記接続のために前記アクセスポイントを選択することを控えることと
をさらに備える、請求項４に記載の方法。
【請求項８】
アクセスポイントのワイヤレス通信の方法であって、
所定のルールに従って、複数のドメインのうちのドメインの第１のサブセットを決定することと、ここにおいて、前記複数のドメインの各々がサービスプロバイダに関連付けられ、ここにおいて、前記所定のルールは、
ドメインの前記第１のサブセットが、局による前記複数のドメインの各々の使用に従って選択されること、または
ドメインの選択されたサブセットが、前記複数のドメインの各々が、１つまたは複数の連続する、前に選択されたサブセット中に少なくとも１回含まれるまで、前記１つまたは複数の連続する、前に選択されたサブセット中の各サブセットとは異なることを定義する、
ビーコンフレーム中の情報要素中のドメインの前記第１のサブセットの第１の指示を送信することと、
第２のビーコンフレームを送信すること、ここにおいて、前記第２のビーコンフレームが前記アクセスポイントによってサポートされるドメインの第２のセットの第２の指示を含み、ここにおいて、ドメインの前記第１のセットがドメインの前記第２のセットとは異なる、または
局から、前記局がそれとの第２の資格証明を確立しているドメインの第３のセットの第３の指示を含むプローブ要求フレームを受信すること
のうちの少なくとも１つを実行することと
を備える、方法。
【請求項９】
前記情報要素が、高速初期リンクセットアップ指示情報要素（ＦＩＬＳ指示ＩＥ）である、請求項８に記載の方法。
【請求項１０】
前記所定のルールはさらに、１つまたは複数の連続する、前に選択されたサブセットの各サブセットとは異なるドメインの前記選択されたサブセットが、ラウンドロビン方式で前記複数のドメインから選択されることを定義する、請求項８に記載の方法。
【請求項１１】
前記情報要素は最大数Ｍ個のドメインの指示を搬送し、Ｍは正の整数であり、ここにおいて、前記複数のドメインがＭ個よりも多いドメインを含む、請求項８に記載の方法。
【請求項１２】
前記複数のドメインの各所与のドメインの指示が、前記所与のドメインの名前のハッシュ、または前記所与のドメインのフルネームである、請求項８に記載の方法。
【請求項１３】
ワイヤレス通信のための装置であって、前記装置が局であり、
アクセスポイントから第１のビーコンフレームを受信するための手段と、ここにおいて、前記第１のビーコンフレームが、前記アクセスポイントによってサポートされるドメインの第１のセットの第１の指示を含む、
前記局がドメインの前記第１のセットのうちのどの１つのドメインとの資格証明をも確立していないと決定するための手段と、
前記アクセスポイントから第２のビーコンフレームを受信するための手段、ここにおいて、前記第２のビーコンフレームが前記アクセスポイントによってサポートされるドメインの第２のセットの第２の指示を含み、ここにおいて、ドメインの前記第１のセットがドメインの前記第２のセットとは異なる、または
前記局がそれとの第２の資格証明を確立しているドメインの第３のセットの第３の指示を含むプローブ要求フレームを前記アクセスポイントに送るための手段
のうちの少なくとも１つと
を備える、装置。
【請求項１４】
ワイヤレス通信のための装置であって、前記装置がアクセスポイントであり、
所定のルールに従って、複数のドメインのうちのドメインの第１のサブセットを決定するための手段と、ここにおいて、前記複数のドメインの各々がサービスプロバイダに関連付けられ、ここにおいて、前記所定のルールは、
ドメインの前記第１のサブセットが、局による前記複数のドメインの各々の使用に従って選択されること、または
ドメインの選択されたサブセットが、前記複数のドメインの各々が、１つまたは複数の連続する、前に選択されたサブセット中に少なくとも１回含まれるまで、前記１つまたは複数の連続する、前に選択されたサブセット中の各サブセットとは異なることを定義する、
ビーコンフレーム中の情報要素中のドメインの前記第１のサブセットの第１の指示を送信するための手段と、
第２のビーコンフレームを送信するための手段、ここにおいて、前記第２のビーコンフレームが前記アクセスポイントによってサポートされるドメインの第２のセットの第２の指示を含み、ここにおいて、ドメインの前記第１のセットがドメインの前記第２のセットとは異なる、または
局から、前記局がそれとの第２の資格証明を確立しているドメインの第３のセットの第３の指示を含むプローブ要求フレームを受信するための手段
のうちの少なくとも１つと
を備える、装置。
【請求項１５】
コンピュータに、請求項１〜請求項７および／または請求項８〜請求項１２のうちのいずれか一項に記載の方法を実行させるコンピュータ実行可能コードを記憶するコンピュータ可読媒体。
【手続補正２】
【補正対象書類名】明細書
【補正対象項目名】０１３０
【補正方法】変更
【補正の内容】
【０１３０】
[00133]以上の説明は、当業者が本明細書で説明した様々な態様を実施できるようにするために与えられた。これらの態様への様々な変更は当業者には容易に明らかであり、本明細書で定義した一般的原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的等価物は、参照により本明細書に明確に組み込まれ、特許請求の範囲に包含されるものである。さらに、本明細書で開示したいかなることも、そのような開示が特許請求の範囲に明示的に具陳されているかどうかにかかわらず、公に供するものではない。いかなるクレーム要素も、その要素が「ための手段」という句を使用して明確に具陳されていない限り、または方法クレームの場合には、その要素が「ためのステップ」という句を使用して具陳されていない限り、米国特許法第１１２条（ｆ）の規定の下で解釈されるべきではない。
以下に本願の出願当初の特許請求の範囲に記載された発明を付記する。
[Ｃ１]  局のワイヤレス通信の方法であって、
アクセスポイントから第１のビーコンフレームを受信することと、ここにおいて、前記第１のビーコンフレームが、前記アクセスポイントによってサポートされるドメインの第１のセットの第１の指示を含む、
前記局がドメインの前記第１のセットのうちのどの１つのドメインとの資格証明をも確立していないと決定することと、
（ａ）前記アクセスポイントから第２のビーコンフレームを受信すること、ここにおいて、前記第２のビーコンフレームが前記アクセスポイントによってサポートされるドメインの第２のセットの第２の指示を含み、ここにおいて、ドメインの前記第１のセットがドメインの前記第２のセットとは異なる、または
（ｂ）前記局がそれとの第２の資格証明を確立しているドメインの第３のセットの第３の指示を含むプローブ要求フレームを前記アクセスポイントに送ることのうちの少なくとも１つを実行することとを備える、方法。
[Ｃ２]  前記第１の指示が前記第１のビーコンフレームの第１の高速初期リンクセットアップ指示情報要素（ＦＩＬＳ指示ＩＥ）中に含まれ、ここにおいて、前記第２の指示が前記第２のビーコンフレームの第２のＦＩＬＳ指示ＩＥ中に含まれた中にあり、ここにおいて、前記第３の指示が前記プローブ要求フレームのＦＩＬＳ要求パラメータ要素中に含まれる、Ｃ１に記載の方法。
[Ｃ３]  前記第２のビーコンフレームが前記アクセスポイントから受信され、前記方法は、
前記局がドメインの前記第２のセットのうちの１つまたは複数のドメインとの第３の資格証明を確立していると決定することと、
接続のために前記アクセスポイントを選択することとをさらに備える、Ｃ１に記載の方法。
[Ｃ４]  前記プローブ要求フレームが前記アクセスポイントに送られ、前記方法は、
前記アクセスポイントの挙動に基づいて、前記アクセスポイントが、ドメインの前記第３のセットの少なくとも第１のドメインをサポートするかどうかを決定することと、
前記アクセスポイントがドメインの前記第３のセットの前記第１のドメインをサポートすると決定されたとき、接続のために前記アクセスポイントを選択することとをさらに備える、Ｃ１に記載の方法。
[Ｃ５]  プローブ応答フレームを受信することと、
前記アクセスポイントの前記挙動が、前記局に前記プローブ応答フレームを送ることを含むと決定することと、ここにおいて、前記プローブ応答フレームがドメインの第４のセットの第４の指示を含み、ここにおいて、ドメインの前記第４のセットがドメインの前記第３のセットのサブセットであり、ここにおいて、前記アクセスポイントがドメインの前記第３のセットの前記第１のドメインをサポートすると決定される、
前記接続を確立するために、前記アクセスポイントに前記第１のドメインの資格証明を送ることと、ここにおいて、前記第１のドメインがドメインの前記第４のセット中にある、をさらに備える、Ｃ４に記載の方法。
[Ｃ６]  ドメインの前記第４のセットが少なくとも２つのドメインを含み、前記方法は、
所定のルールに基づいて、ドメインの前記第４のセットから前記第１のドメインを選択することをさらに備える、Ｃ５に記載の方法。
[Ｃ７]  前記所定のルールが、ランダムに、あるいはローミング契約または価格契約に基づいて、複数のドメインからドメインを選択する、Ｃ６に記載の方法。
[Ｃ８]  前記アクセスポイントの前記挙動が、前記プローブ要求フレームが前記局によって送られた後、所定の時間期間内に、前記プローブ要求フレームに応答して、前記局にプローブ応答フレームを送らないことを含むと決定することと、ここにおいて、前記アクセスポイントがドメインの前記第３のセットのどのドメインをもサポートしないと決定される、
前記接続のために前記アクセスポイントを選択することを控えることとをさらに備える、Ｃ４に記載の方法。
[Ｃ９]  プローブ応答フレームを受信することと、
前記アクセスポイントの前記挙動が、前記局に前記プローブ応答フレームを送ることを含むと決定することと、ここにおいて、前記プローブ応答フレームがドメインの第４のセットの第４の指示を含み、ここにおいて、ドメインの前記第４のセットがドメインの前記第３のセットのどのドメインにも一致せず、ここにおいて、前記アクセスポイントがドメインの前記第３のセットのどのドメインをもサポートしないと決定される、
前記接続のために前記アクセスポイントを選択することを控えることとをさらに備える、Ｃ４に記載の方法。
[Ｃ１０]  ドメインの前記第１のセットと、ドメインの前記第２のセットと、ドメインの前記第３のセットとの各所与のドメインの指示が、前記所与のドメインの名前のハッシュ、または前記所与のドメインのフルネームである、Ｃ４に記載の方法。
[Ｃ１１]  アクセスポイントのワイヤレス通信の方法であって、
所定のルールに従って、複数のドメインのうちのドメインの第１のサブセットを決定することと、ここにおいて、前記複数のドメインの各々がサービスプロバイダに関連付けられ、ここにおいて、前記所定のルールは、
ドメインの前記第１のサブセットが、局による前記複数のドメインの各々の使用に従って選択されること、または
ドメインの選択されたサブセットが、前記複数のドメインの各々が、１つまたは複数の連続する、前に選択されたサブセット中に少なくとも１回含まれるまで、前記１つまたは複数の連続する、前に選択されたサブセット中の各サブセットとは異なることを定義する、
ビーコンフレーム中の情報要素中のドメインの前記第１のサブセットの第１の指示を送信することとを備える、方法。
[Ｃ１２]  前記情報要素が、高速初期リンクセットアップ指示情報要素（ＦＩＬＳ指示ＩＥ）である、Ｃ１１に記載の方法。
[Ｃ１３]  前記所定のルールはさらに、１つまたは複数の連続する、前に選択されたサブセットの各サブセットとは異なるドメインの前記選択されたサブセットが、ラウンドロビン方式で前記複数のドメインから選択されることを定義する、Ｃ１１に記載の方法。
[Ｃ１４]  前記情報要素は最大数Ｍ個のドメインの指示を搬送し、Ｍは正の整数であり、ここにおいて、前記複数のドメインがＭ個よりも多いドメインを含む、Ｃ１１に記載の方法。
[Ｃ１５]  前記所定のルールはさらに、ドメインの前記第１のサブセットの各々の前記使用に従って選択されたドメインの前記第１のサブセットが、Ｍ個の最も使用されるドメインを含むことを定義する、Ｃ１４に記載の方法。
[Ｃ１６]  前記複数のドメインの各所与のドメインの指示が、前記所与のドメインの名前のハッシュ、または前記所与のドメインのフルネームである、Ｃ１１に記載の方法。
[Ｃ１７]  ワイヤレス通信のための装置であって、前記装置が局であり、
メモリと、
前記メモリに結合された少なくとも１つのプロセッサとを備え、前記少なくとも１つのプロセッサは、
アクセスポイントから第１のビーコンフレームを受信することと、ここにおいて、前記第１のビーコンフレームが、前記アクセスポイントによってサポートされるドメインの第１のセットの第１の指示を含む、
前記局がドメインの前記第１のセットのうちのどの１つのドメインとの資格証明をも確立していないと決定することと、
（ａ）前記アクセスポイントから第２のビーコンフレームを受信すること、ここにおいて、前記第２のビーコンフレームが前記アクセスポイントによってサポートされるドメインの第２のセットの第２の指示を含み、ここにおいて、ドメインの前記第１のセットがドメインの前記第２のセットとは異なる、または
（ｂ）前記局がそれとの第２の資格証明を確立しているドメインの第３のセットの第３の指示を含むプローブ要求フレームを前記アクセスポイントに送ることのうちの少なくとも１つを実行することとを行うように構成された、装置。
[Ｃ１８]  前記第１の指示が前記第１のビーコンフレームの第１の高速初期リンクセットアップ指示情報要素（ＦＩＬＳ指示ＩＥ）中に含まれ、ここにおいて、前記第２の指示が前記第２のビーコンフレームの第２のＦＩＬＳ指示ＩＥ中に含まれた中にあり、ここにおいて、前記第３の指示が前記プローブ要求フレームのＦＩＬＳ要求パラメータ要素中に含まれる、Ｃ１７に記載の装置。
[Ｃ１９]  前記第２のビーコンフレームが前記アクセスポイントから受信され、ここにおいて、前記少なくとも１つのプロセッサは、
前記局がドメインの前記第２のセットのうちの１つまたは複数のドメインとの第３の資格証明を確立していると決定することと、
接続のために前記アクセスポイントを選択することとを行うようにさらに構成された、Ｃ１７に記載の装置。
[Ｃ２０]  前記プローブ要求フレームが前記アクセスポイントに送られ、ここにおいて、前記少なくとも１つのプロセッサは、
前記アクセスポイントの挙動に基づいて、前記アクセスポイントが、ドメインの前記第３のセットの少なくとも第１のドメインをサポートするかどうかを決定することと、
前記アクセスポイントがドメインの前記第３のセットの前記第１のドメインをサポートすると決定されたとき、接続のために前記アクセスポイントを選択することとを行うようにさらに構成された、Ｃ１７に記載の装置。
[Ｃ２１]  前記少なくとも１つのプロセッサは、
プローブ応答フレームを受信することと、
前記アクセスポイントの前記挙動が、前記局に前記プローブ応答フレームを送ることを含むと決定することと、ここにおいて、前記プローブ応答フレームがドメインの第４のセットの第４の指示を含み、ここにおいて、ドメインの前記第４のセットがドメインの前記第３のセットのサブセットであり、ここにおいて、前記アクセスポイントがドメインの前記第３のセットの前記第１のドメインをサポートすると決定される、
前記接続を確立するために、前記アクセスポイントに前記第１のドメインの資格証明を送ることと、ここにおいて、前記第１のドメインがドメインの前記第４のセット中にある、を行うようにさらに構成された、Ｃ２０に記載の装置。
[Ｃ２２]  ドメインの前記第４のセットが少なくとも２つのドメインを含み、ここにおいて、前記少なくとも１つのプロセッサは、
所定のルールに基づいて、ドメインの前記第４のセットから前記第１のドメインを選択することを行うようにさらに構成された、Ｃ２１に記載の装置。
[Ｃ２３]  前記所定のルールが、ランダムに、あるいはローミング契約または価格契約に基づいて、複数のドメインからドメインを選択する、Ｃ２２に記載の装置。
[Ｃ２４]  前記少なくとも１つのプロセッサは、
前記アクセスポイントの前記挙動が、前記プローブ要求フレームが前記局によって送られた後、所定の時間期間内に、前記プローブ要求フレームに応答して、前記局にプローブ応答フレームを送らないことを含むと決定することと、ここにおいて、前記アクセスポイントがドメインの前記第３のセットのどのドメインをもサポートしないと決定される、
前記接続のために前記アクセスポイントを選択することを控えることとを行うようにさらに構成された、Ｃ２０に記載の装置。
[Ｃ２５]  前記少なくとも１つのプロセッサは、
プローブ応答フレームを受信することと、
前記アクセスポイントの前記挙動が、前記局に前記プローブ応答フレームを送ることを含むと決定することと、ここにおいて、前記プローブ応答フレームがドメインの第４のセットの第４の指示を含み、ここにおいて、ドメインの前記第４のセットがドメインの前記第３のセットのどのドメインにも一致せず、ここにおいて、前記アクセスポイントがドメインの前記第３のセットのどのドメインをもサポートしないと決定される、
前記接続のために前記アクセスポイントを選択することを控えることとを行うようにさらに構成された、Ｃ２０に記載の装置。
[Ｃ２６]  ドメインの前記第１のセットと、ドメインの前記第２のセットと、ドメインの前記第３のセットとの各所与のドメインの指示が、前記所与のドメインの名前のハッシュ、または前記所与のドメインのフルネームである、Ｃ２０に記載の装置。
[Ｃ２７]  ワイヤレス通信のための装置であって、前記装置がアクセスポイントであり、
メモリと、
前記メモリに結合された少なくとも１つのプロセッサとを備え、前記少なくとも１つのプロセッサは、
所定のルールに従って、複数のドメインのうちのドメインの第１のサブセットを決定することと、ここにおいて、前記複数のドメインの各々がサービスプロバイダに関連付けられ、ここにおいて、前記所定のルールは、
ドメインの前記第１のサブセットが、局による前記複数のドメインの各々の使用に従って選択されること、または
ドメインの選択されたサブセットが、前記複数のドメインの各々が、１つまたは複数の連続する、前に選択されたサブセット中に少なくとも１回含まれるまで、前記１つまたは複数の連続する、前に選択されたサブセット中の各サブセットとは異なることを定義する、
ビーコンフレーム中の情報要素中のドメインの前記第１のサブセットの第１の指示を送信することとを行うように構成された、装置。
[Ｃ２８]  前記情報要素が、高速初期リンクセットアップ指示情報要素（ＦＩＬＳ指示ＩＥ）である、Ｃ２７に記載の装置。
[Ｃ２９]  前記所定のルールはさらに、１つまたは複数の連続する、前に選択されたサブセットの各サブセットとは異なるドメインの前記選択されたサブセットが、ラウンドロビン方式で前記複数のドメインから選択されることを定義する、Ｃ２７に記載の装置。
[Ｃ３０]  前記情報要素は最大数Ｍ個のドメインの指示を搬送し、Ｍは正の整数であり、ここにおいて、前記複数のドメインがＭ個よりも多いドメインを含む、Ｃ２７に記載の装置。
[Ｃ３１]  前記所定のルールはさらに、ドメインの前記第１のサブセットの各々の前記使用に従って選択されたドメインの前記第１のサブセットが、Ｍ個の最も使用されるドメインを含むことを定義する、Ｃ３０に記載の装置。
[Ｃ３２]  前記複数のドメインの各所与のドメインの指示が、前記所与のドメインの名前のハッシュ、または前記所与のドメインのフルネームである、Ｃ２７に記載の装置。
[Ｃ３３]  ワイヤレス通信のための装置であって、前記装置が局であり、
アクセスポイントから第１のビーコンフレームを受信するための手段と、ここにおいて、前記第１のビーコンフレームが、前記アクセスポイントによってサポートされるドメインの第１のセットの第１の指示を含む、
前記局がドメインの前記第１のセットのうちのどの１つのドメインとの資格証明をも確立していないと決定するための手段と、
（ａ）前記アクセスポイントから第２のビーコンフレームを受信するための手段、ここにおいて、前記第２のビーコンフレームが前記アクセスポイントによってサポートされるドメインの第２のセットの第２の指示を含み、ここにおいて、ドメインの前記第１のセットがドメインの前記第２のセットとは異なる、または
（ｂ）前記局がそれとの第２の資格証明を確立しているドメインの第３のセットの第３の指示を含むプローブ要求フレームを前記アクセスポイントに送るための手段のうちの少なくとも１つとを備える、装置。
[Ｃ３４]  前記第１の指示が前記第１のビーコンフレームの第１の高速初期リンクセットアップ指示情報要素（ＦＩＬＳ指示ＩＥ）中に含まれ、ここにおいて、前記第２の指示が前記第２のビーコンフレームの第２のＦＩＬＳ指示ＩＥ中に含まれた中にあり、ここにおいて、前記第３の指示が前記プローブ要求フレームのＦＩＬＳ要求パラメータ要素中に含まれる、Ｃ３３に記載の装置。
[Ｃ３５]  前記装置が、前記第２のビーコンフレームを受信するための前記手段を含むように構成され、前記装置は、
前記局がドメインの前記第２のセットのうちの１つまたは複数のドメインとの第３の資格証明を確立していると決定するための手段と、
接続のために前記アクセスポイントを選択するための手段とをさらに備える、Ｃ３３に記載の装置。
[Ｃ３６]  前記装置が、前記プローブ要求フレームを送るための前記手段を含むように構成され、前記装置は、
前記アクセスポイントの挙動に基づいて、前記アクセスポイントが、ドメインの前記第３のセットの少なくとも第１のドメインをサポートするかどうかを決定するための手段と、
前記アクセスポイントがドメインの前記第３のセットの前記第１のドメインをサポートすると決定されたとき、接続のために前記アクセスポイントを選択するための手段とをさらに備える、Ｃ３３に記載の装置。
[Ｃ３７]  プローブ応答フレームを受信するための手段と、
前記アクセスポイントの前記挙動が、前記局に前記プローブ応答フレームを送ることを含むと決定するための手段と、ここにおいて、前記プローブ応答フレームがドメインの第４のセットの第４の指示を含み、ここにおいて、ドメインの前記第４のセットがドメインの前記第３のセットのサブセットであり、ここにおいて、前記アクセスポイントがドメインの前記第３のセットの前記第１のドメインをサポートすると決定される、
前記接続を確立するために、前記アクセスポイントに前記第１のドメインの資格証明を送るための手段と、ここにおいて、前記第１のドメインがドメインの前記第４のセット中にある、をさらに備える、Ｃ３６に記載の装置。
[Ｃ３８]  ドメインの前記第４のセットが少なくとも２つのドメインを含み、前記装置は、
所定のルールに基づいて、ドメインの前記第４のセットから前記第１のドメインを選択するための手段をさらに備える、Ｃ３７に記載の装置。
[Ｃ３９]  前記所定のルールが、ランダムに、あるいはローミング契約または価格契約に基づいて、複数のドメインからドメインを選択する、Ｃ３８に記載の装置。
[Ｃ４０]  前記アクセスポイントの前記挙動が、前記プローブ要求フレームが前記局によって送られた後、所定の時間期間内に、前記プローブ要求フレームに応答して、前記局にプローブ応答フレームを送らないことを含むと決定するための手段と、ここにおいて、前記アクセスポイントがドメインの前記第３のセットのどのドメインをもサポートしないと決定される、
前記接続のために前記アクセスポイントを選択することを控えるための手段とをさらに備える、Ｃ３６に記載の装置。
[Ｃ４１]  プローブ応答フレームを受信するための手段と、
前記アクセスポイントの前記挙動が、前記局に前記プローブ応答フレームを送ることを含むと決定するための手段と、ここにおいて、前記プローブ応答フレームがドメインの第４のセットの第４の指示を含み、ここにおいて、ドメインの前記第４のセットがドメインの前記第３のセットのどのドメインにも一致せず、ここにおいて、前記アクセスポイントがドメインの前記第３のセットのどのドメインをもサポートしないと決定される、
前記接続のために前記アクセスポイントを選択することを控えるための手段とをさらに備える、Ｃ３６に記載の装置。
[Ｃ４２]  ドメインの前記第１のセットと、ドメインの前記第２のセットと、ドメインの前記第３のセットとの各所与のドメインの指示が、前記所与のドメインの名前のハッシュ、または前記所与のドメインのフルネームである、Ｃ３６に記載の装置。
[Ｃ４３]  ワイヤレス通信のための装置であって、前記装置がアクセスポイントであり、
所定のルールに従って、複数のドメインのうちのドメインの第１のサブセットを決定するための手段と、ここにおいて、前記複数のドメインの各々がサービスプロバイダに関連付けられ、ここにおいて、前記所定のルールは、
ドメインの前記第１のサブセットが、局による前記複数のドメインの各々の使用に従って選択されること、または
ドメインの選択されたサブセットが、前記複数のドメインの各々が、１つまたは複数の連続する、前に選択されたサブセット中に少なくとも１回含まれるまで、前記１つまたは複数の連続する、前に選択されたサブセット中の各サブセットとは異なることを定義する、
ビーコンフレーム中の情報要素中のドメインの前記第１のサブセットの第１の指示を送信するための手段とを備える、装置。
[Ｃ４４]  前記情報要素が、高速初期リンクセットアップ指示情報要素（ＦＩＬＳ指示ＩＥ）である、Ｃ４３に記載の装置。
[Ｃ４５]  前記所定のルールはさらに、１つまたは複数の連続する、前に選択されたサブセットの各サブセットとは異なるドメインの前記選択されたサブセットが、ラウンドロビン方式で前記複数のドメインから選択されることを定義する、Ｃ４３に記載の装置。
[Ｃ４６]  前記情報要素は最大数Ｍ個のドメインの指示を搬送し、Ｍは正の整数であり、ここにおいて、前記複数のドメインがＭ個よりも多いドメインを含む、Ｃ４３に記載の装置。
[Ｃ４７]  前記所定のルールはさらに、ドメインの前記第１のサブセットの各々の前記使用に従って選択されたドメインの前記第１のサブセットが、Ｍ個の最も使用されるドメインを含むことを定義する、Ｃ４６に記載の装置。
[Ｃ４８]  前記複数のドメインの各所与のドメインの指示が、前記所与のドメインの名前のハッシュ、または前記所与のドメインのフルネームである、Ｃ４３に記載の装置。
[Ｃ４９]  局におけるワイヤレス通信のためのコンピュータ実行可能コードを記憶するコンピュータ可読媒体であって、
アクセスポイントから第１のビーコンフレームを受信することと、ここにおいて、前記第１のビーコンフレームが、前記アクセスポイントによってサポートされるドメインの第１のセットの第１の指示を含む、
前記局がドメインの前記第１のセットのうちのどの１つのドメインとの資格証明をも確立していないと決定することと、
（ａ）前記アクセスポイントから第２のビーコンフレームを受信すること、ここにおいて、前記第２のビーコンフレームが前記アクセスポイントによってサポートされるドメインの第２のセットの第２の指示を含み、ここにおいて、ドメインの前記第１のセットがドメインの前記第２のセットとは異なる、または
（ｂ）前記局がそれとの第２の資格証明を確立しているドメインの第３のセットの第３の指示を含むプローブ要求フレームを前記アクセスポイントに送ることのうちの少なくとも１つを実行することとを行うためのコードを備える、コンピュータ可読媒体。
[Ｃ５０]  アクセスポイントにおけるワイヤレス通信のためのコンピュータ実行可能コードを記憶するコンピュータ可読媒体であって、
所定のルールに従って、複数のドメインのうちのドメインの第１のサブセットを決定することと、ここにおいて、前記複数のドメインの各々がサービスプロバイダに関連付けられ、ここにおいて、前記所定のルールは、
ドメインの前記第１のサブセットが、局による前記複数のドメインの各々の使用に従って選択されること、または
ドメインの選択されたサブセットが、前記複数のドメインの各々が、１つまたは複数の連続する、前に選択されたサブセット中に少なくとも１回含まれるまで、前記１つまたは複数の連続する、前に選択されたサブセット中の各サブセットとは異なることを定義する、
ビーコンフレーム中の情報要素中のドメインの前記第１のサブセットの第１の指示を送信することとを行うためのコードを備える、コンピュータ可読媒体。